(57)【要約】【課題】非常に容易な動作で作動し、従来よりも高い電力節約率を達成することが可能な携帯用電子機器を提供する【解決手段】近距離無線通信（ｎｅａｒ  ｆｉｅｌｄ  ｃｏｍｍｕｎｉｃａｔｉｏｎ：ＮＦＣ）ユニットを備える携帯用電子機器であり、アクティブモードとアイドルモードとを切り換え可能である。動きセンサユニットが携帯用電子機器の動きを記録し、記録された動きが記述された動き信号を出力する。処理ユニットが、加速フェーズ及び減速フェーズを含む第１の事前に規定された動きパターンを検出するために、動き信号を分析する。ＮＦＣユニットは、ＮＦＣタッチジェスチャを記述する第１の事前に規定された動きパターンが検出されたときにアクティブモードに切り換えられる。【選択図】図１
2012165379.tif 000002
【特許請求の範囲】
【請求項１】
携帯用電子機器であって、
制御信号を受け取るように構成される近距離無線通信ユニットであり、前記制御信号に応答して、前記近距離無線通信ユニットが無線周波数場を発生させる第１のモードと、前記近距離無線通信ユニットが無線周波数場を発生させない第２のモードとを切り換え可能な近距離無線通信ユニットと、
前記携帯用電子機器の動きを記録し、かつ前記記録された動きが記述された動き信号を出力する動きセンサユニットと、
前記動き信号を受け取り、分析して、第１のフェーズの加速及び第２のフェーズの減速を含む第１の事前に規定された動きパターンを検出し、前記第１の事前に規定された動きパターンを検出した場合、前記近距離無線通信ユニットを前記第１のモードに切り換えるための制御信号を送信する処理ユニットと
を含むことを特徴とする携帯用電子機器。
【請求項２】
前記近距離無線通信ユニットが、受動トランスポンダと通信することを特徴とする、請求項１に記載の携帯用電子機器。
【請求項３】
前記近距離無線通信ユニットが、ＩＳＯ／ＩＥＣ１８０２９標準仕様、ＩＳＯ／ＩＥＣ１８０２９標準仕様に基づく任意の標準仕様、又はＮＦＣ  Ｆｏｒｕｍ  Ｄｉｇｉｔａｌ  Ｐｒｏｔｏｃｏｌ  Ｓｐｅｃｉｆｉｃａｔｉｏｎに従って通信することを特徴とする、請求項１又は２に記載の携帯用電子機器。
【請求項４】
前記第１の事前に規定された動きパターンの前記第２のフェーズが、前記第１のフェーズより短いことを特徴とする、請求項１〜３のいずれか１項に記載の携帯用電子機器。
【請求項５】
前記第１及び第２のフェーズが、連続的な直線に沿った、又は肩関節を回転させずに肘関節を伸ばしたときに人間の手が描く曲線状の軌跡に沿った直線的な動きであることを特徴とする、請求項１〜４のいずれか１項に記載の携帯用電子機器。
【請求項６】
前記処理ユニットが、第２の事前に規定された動きパターンを検出し、かつ前記第２の事前に規定された動きパターンの検出に応答して、前記近距離無線通信ユニットの動作を制御することを特徴とする、請求項１〜５のいずれか１項に記載の携帯用電子機器。
【請求項７】
前記処理ユニットが、前記近距離無線通信ユニットを、前記第２の事前に規定された動きパターンによって識別されるデータを送信するように動作させることを特徴とする、請求項６に記載の携帯用電子機器。
【請求項８】
前記近距離無線通信ユニットが少なくとも２つの異なるアプリケーションを実行するように構成され、前記処理ユニットが、前記第２の事前に規定された動きパターンの検出に応答して、前記近距離無線通信ユニットにより実行される前記アプリケーションを選択し、かつ前記近距離無線通信ユニットを前記第１のモードに切り換える前に、アプリケーションに特有のパラメータを前記近距離無線通信ユニットに提供することを特徴とする、請求項６に記載の携帯用電子機器。
【請求項９】
前記処理ユニットは、前記近距離無線通信ユニットが有効化された後、事前に規定された所定の期間の経過後に通信リンクが構築されていなかった場合、前記近距離無線通信ユニットを非有効化することを特徴とする、請求項１〜８のいずれか１項に記載の携帯用電子機器。
【請求項１０】
請求項１〜９のいずれか１項に記載の前記携帯用電子機器と、
前記近距離無線通信ユニットを使用して前記携帯用電子機器との通信リンクを構築するように動作可能な別の電子機器と
を含むことを特徴とする近距離無線通信システム。
【請求項１１】
携帯用電子機器を動作させる方法であって、
前記携帯用電子機器に一体化された動きセンサユニットが、前記携帯用電子機器の動きを記録し、前記記録した動きが記述された動き信号を出力するステップと、
第１のフェーズの加速及び第２のフェーズの減速を含む第１の事前に規定された動きパターンを前記動き信号から検出する処理ユニットが、前記動き信号を分析するステップと、
前記処理ユニットが、前記第１の事前に規定された動きパターンの検出に応答して、近距離無線通信ユニットが無線周波数場を発生しない第２のモードから、前記近距離無線通信ユニットが無線周波数場を発生する第１のモードに切り換えるための制御信号を前記近距離無線通信ユニットに送るステップと
を含むことを特徴とする方法。
【請求項１２】
前記処理ユニットが、第２の事前に規定された動きパターンの検出に応答して前記近距離無線通信ユニットの動作を制御するステップをさらに含み、
前記近距離無線通信ユニットは、前記第２の事前に規定された動きパターンにより識別されたデータを送信するように動作させられることを特徴とする、請求項１１に記載の方法。
【請求項１３】
前記処理ユニットが、第２の事前に規定された動きパターンの検出に応答して前記近距離無線通信ユニットの動作を制御するステップをさらに含み、
前記近距離無線通信ユニットにより実行されるアプリケーションが、前記第２の事前に規定された動きパターンの検出に応答して選択される、及び／又はアプリケーションに特有のパラメータが、前記近距離無線通信ユニットを前記第１のモードに切り換える前に前記近距離無線通信ユニットに提供されることを特徴とする、請求項１１に記載の方法。
【請求項１４】
前記処理ユニットは、前記近距離無線通信ユニットが有効化された後、事前に規定された所定の期間の経過後に通信リンクが構築されていなかった場合、前記近距離無線通信ユニットを非有効化するステップをさらに含むことを特徴とする、請求項１１〜１３のいずれか１項に記載の方法。
【請求項１５】
コンピュータに、
携帯用電子機器に一体化された動きセンサユニットが、前記携帯用電子機器の動きを記録し、前記記録された動きが記述された動き信号を出力する手順と、
第１のフェーズの加速及び第２のフェーズの減速を含む第１の事前に規定された動きパターンを前記動き信号から検出する処理ユニットが、前記動き信号を分析する手順と、
前記処理ユニットが、前記第１の事前に規定された動きパターンの検出に応答して、近距離無線通信ユニットが無線周波数場を発生しない第２のモードから、前記近距離無線通信ユニットが無線周波数場を発生する第１のモードに切り換えるための制御信号を前記近距離無線通信ユニットに送る手順と、を実行させるためのプログラム。
【請求項１６】
コンピュータに、
携帯用電子機器に一体化された動きセンサユニットが、前記携帯用電子機器の動きを記録し、前記記録された動きが記述された動き信号を出力する手順と、
第１のフェーズの加速及び第２のフェーズの減速を含む第１の事前に規定された動きパターンを前記動き信号から検出する処理ユニットが、前記動き信号を分析する手順と、
前記処理ユニットが、前記第１の事前に規定された動きパターンの検出に応答して、近距離無線通信ユニットが無線周波数場を発生しない第２のモードから、前記近距離無線通信ユニットが無線周波数場を発生する第１のモードに切り換えるための制御信号を前記近距離無線通信ユニットに送る手順と、を実行させるためのプログラムを記録したコンピュータ読み取り可能な記録媒体。
【発明の詳細な説明】
【技術分野】
【０００１】
本発明は、近距離無線通信（ｎｅａｒ  ｆｉｅｌｄ  ｃｏｍｍｕｎｉｃａｔｉｏｎ：ＮＦＣ）リンクを構築するように適合されるハンドヘルド電子機器に関する。
【背景技術】
【０００２】
近距離無線通信（ＮＦＣ）技術が搭載された携帯用電子機器によって、ユーザは、携帯用電子機器を別の携帯用電子機器又は別の固定された電子機器に単にタッチするだけで、連絡先の詳細、データファイル、支払情報の交換といった、複数の異なる動作を行うことができる。ＮＦＣ通信を開始する際には、一般的に、２つの電子機器の一方が、無線周波数場（ｒａｄｉｏ  ｆｒｅｑｕｅｎｃｙ  ｆｉｅｌｄ：ＲＦ場）を発生させ、リッスン状態（待ち受け状態）にある機器の存在を求めてポーリング（ｐｏｌｌｉｎｇ）を行う。リッスン状態にある機器は、能動的な受信器を備える機器でも、ポーリングを行う機器から送信されるＲＦ場を変調することによりデータを送信する受動トランスポンダ技術を有する機器でもよい。いずれの場合も、ポーリングのための消費電力量は、待ち受け状態の電力消費量よりもかなり大きい。従来、ＮＦＣ技術を特徴とする携帯用機器においては、ユーザが特定のボタンを押したり、携帯用機器の表示装置上の該当するメニュー項目を選択したりすることでＮＦＣ機能を有効にするときにだけ、ＲＦ場を発生させたりポーリングシーケンスを開始したりすることで、消費電力量を低減している。別の手法によれば、ＮＦＣ機能が有効であることは、携帯用機器がアイドルモード又はスタンバイモードにないことを示す別の情報と関連付けられている。例えば、ＮＦＣ機能が有効であることは、表示装置の照明状態、又は携帯用電子機器が現在アイドルモード又はスタンバイモードにないことを示すキーパッドと関連付けることができる。
【先行技術文献】
【非特許文献】
【０００３】
【非特許文献１】ＩＳＯ／ＩＥＣ１８０２９標準仕様
【非特許文献２】ＮＦＣ  Ｆｏｒｕｍ  Ｄｉｇｉｔａｌ  Ｐｒｏｔｏｃｏｌ  Ｓｐｅｃｉｆｉｃａｔｉｏｎ
【非特許文献３】ＩＳＯ／ＩＥＣ１４４４３標準仕様
【発明の概要】
【発明が解決しようとする課題】
【０００４】
しかし、従来のＮＦＣ技術が搭載された携帯用電子機器では、十分な電力節約率を得ることができないという問題があった。
そこで、本発明は、上記問題に鑑みてなされたものであり、その目的は、非常に容易な動作で作動し、更に高い電力節約率を達成することが可能な、新規かつ改良された携帯用電子機器を提供することにある。
【課題を解決するための手段】
【０００５】
上記課題を解決するために、本発明のある観点によれば、携帯用電子機器であって、制御信号を受け取るように構成される近距離無線通信ユニットであり、前記制御信号に応答して、前記近距離無線通信ユニットが無線周波数場を発生させる第１のモードと、前記近距離無線通信ユニットが無線周波数場を発生させない第２のモードとを切り換え可能な近距離無線通信ユニットと、前記携帯用電子機器の動きを記録し、かつ前記記録された動きが記述された動き信号を出力する動きセンサユニットと、前記動き信号を受け取り、分析して、第１のフェーズの加速及び第２のフェーズの減速を含む第１の事前に規定された動きパターンを検出し、前記第１の事前に規定された動きパターンを検出した場合、前記近距離無線通信ユニットを前記第１のモードに切り換えるための制御信号を送信する処理ユニットと、を含む携帯用電子機器が提供される。
【０００６】
また、前記近距離無線通信ユニットは、受動トランスポンダと通信してもよい。
【０００７】
また、前記近距離無線通信ユニットは、ＩＳＯ／ＩＥＣ１８０２９標準仕様、ＩＳＯ／ＩＥＣ１８０２９標準仕様に基づく任意の標準仕様、又はＮＦＣ  Ｆｏｒｕｍ  Ｄｉｇｉｔａｌ  Ｐｒｏｔｏｃｏｌ  Ｓｐｅｃｉｆｉｃａｔｉｏｎに従って通信してもよい。
【０００８】
また、前記第１の事前に規定された動きパターンの前記第２のフェーズは、前記第１のフェーズより短くてもよい。
【０００９】
また、前記第１及び第２のフェーズは、連続的な直線に沿った、又は肩関節を回転させずに肘関節を伸ばしたときに人間の手が描く曲線状の軌跡に沿った、直線的な動きであってもよい。
【００１０】
また、前記処理ユニットは、第２の事前に規定された動きパターンを検出し、かつ前記第２の事前に規定された動きパターンの検出に応答して、前記近距離無線通信ユニットの動作を制御してもよい。
【００１１】
また、前記処理ユニットは、前記近距離無線通信ユニットを、前記第２の事前に規定された動きパターンによって識別されるデータを送信するように動作させてもよい。
【００１２】
また、前記近距離無線通信ユニットは少なくとも２つの異なるアプリケーションを実行するように構成され、前記処理ユニットは、前記第２の事前に規定された動きパターンの検出に応答して、前記近距離無線通信ユニットにより実行される前記アプリケーションを選択し、かつ前記近距離無線通信ユニットを前記第１のモードに切り換える前に、アプリケーションに特有のパラメータを前記近距離無線通信ユニットに提供してもよい。
【００１３】
また、前記処理ユニットは、前記近距離無線通信ユニットが有効化された後、事前に規定された所定の期間の経過後に通信リンクが構築されていなかった場合、前記近距離無線通信ユニットを非有効化してもよい。
【００１４】
また、上記課題を解決するために、本発明の別の観点によれば、前記携帯用電子機器と、前記近距離無線通信ユニットを使用して前記携帯用電子機器との通信リンクを構築するように動作可能な別の電子機器とを含むことを特徴とする近距離無線通信システムが提供される。
【００１５】
また、上記課題を解決するために、本発明の別の観点によれば、携帯用電子機器を動作させる方法であって、前記携帯用電子機器に一体化された動きセンサユニットが、前記携帯用電子機器の動きを記録し、前記記録した動きが記述された動き信号を出力するステップと、第１のフェーズの加速及び第２のフェーズの減速を含む第１の事前に規定された動きパターンを前記動き信号から検出する処理ユニットが、前記動き信号を分析するステップと、前記処理ユニットが、前記第１の事前に規定された動きパターンの検出に応答して、近距離無線通信ユニットが無線周波数場を発生しない第２のモードから、前記近距離無線通信ユニットが無線周波数場を発生する第１のモードに切り換えるための制御信号を前記近距離無線通信ユニットに送るステップと、を含む方法が提供される。
【００１６】
また、前記処理ユニットが、第２の事前に規定された動きパターンの検出に応答して前記近距離無線通信ユニットの動作を制御するステップをさらに含み、前記近距離無線通信ユニットは、前記第２の事前に規定された動きパターンにより識別されたデータを送信するように動作させられてもよい。
【００１７】
また、前記処理ユニットが、第２の事前に規定された動きパターンの検出に応答して前記近距離無線通信ユニットの動作を制御するステップをさらに含み、前記近距離無線通信ユニットにより実行されるアプリケーションは、前記第２の事前に規定された動きパターンの検出に応答して選択される、及び／又はアプリケーションに特有のパラメータが、前記近距離無線通信ユニットを前記第１のモードに切り換える前に前記近距離無線通信ユニットに提供されてもよい。
【００１８】
また、前記処理ユニットは、前記近距離無線通信ユニットが有効化された後、事前に規定された所定の期間の経過後に通信リンクが構築されていなかった場合、前記近距離無線通信ユニットを非有効化するステップをさらに含んでもよい。
【００１９】
また、上記課題を解決するために、本発明の別の観点によれば、コンピュータに、携帯用電子機器に一体化された動きセンサユニットが、前記携帯用電子機器の動きを記録し、前記記録された動きが記述された動き信号を出力する手順と、第１のフェーズの加速及び第２のフェーズの減速を含む第１の事前に規定された動きパターンを前記動き信号から検出する処理ユニットが、前記動き信号を分析する手順と、前記処理ユニットが、前記第１の事前に規定された動きパターンの検出に応答して、近距離無線通信ユニットが無線周波数場を発生しない第２のモードから、前記近距離無線通信ユニットが無線周波数場を発生する第１のモードに切り換えるための制御信号を送信する手順と、を実行させるためのプログラムが提供される。
【００２０】
また、上記課題を解決するために、本発明の別の観点によれば、コンピュータに、携帯用電子機器に一体化された動きセンサユニットが、前記携帯用電子機器の動きを記録し、前記記録された動きが記述された動き信号を出力する手順と、第１のフェーズの加速及び第２のフェーズの減速を含む第１の事前に規定された動きパターンを前記動き信号から検出する処理ユニットが、前記動き信号を分析する手順と、前記処理ユニットが、前記第１の事前に規定された動きパターンの検出に応答して、近距離無線通信ユニットが無線周波数場を発生しない第２のモードから、前記近距離無線通信ユニットが無線周波数場を発生する第１のモードに切り換えるための制御信号を送信する手順と、を実行させるためのプログラムを記録したコンピュータ読み取り可能な記録媒体が提供される。
【００２１】
本願発明の目的は、特許請求の範囲の独立請求項に記載された内容で達成される。さらなる実施形態がそれぞれの独立請求項で規定される。本発明の詳細及び有利な点が、添付の図面と併せて、実施形態の以下の説明からより明らかになるであろう。様々な実施形態の特徴は、互いに背反しない限り組み合わせられ得る。
【発明の効果】
【００２２】
以上説明したように本発明によれば、近距離無線通信（ＮＦＣ）ユニットを備える携帯用電子機器に関して、非常に容易な動作で作動し、更に高い電力節約率を達成することが可能となる。
【図面の簡単な説明】
【００２３】
【図１】本発明の一実施形態による携帯用電子機器を含む近距離無線通信システムの概略を示す構成図である。
【図２Ａ】本発明の一実施形態の効果を説明するための、直線状の軌跡に沿った携帯用電子機器の動きを示す概略図である。
【図２Ｂ】本発明の他の実施形態の効果を説明するための、曲線状の軌跡に沿った携帯用電子機器の動きを示す概略図である。
【図３】本発明の一実施形態による近距離無線通信ユニットを含む携帯用電子機器を動作させる方法を説明するための、簡略化された流れ図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
本発明の一実施形態は、近距離無線通信ユニットがＲＦ場を発生させるアクティブモードと、近距離無線通信ユニットがＲＦ場を発生させないアイドルモードとを切り換えることが可能な近距離無線通信ユニットを含む携帯用電子機器に関する。本発明の他の実施形態は、近距離無線通信ユニットを含む携帯用電子機器を動作させる方法に関する。
【００２６】
図１は、別の携帯用電子機器又は別の固定された電子機器１９０（以下、別の電子機器１９０という）との近距離無線通信リンクを構築する携帯用電子機器１１０を備える近距離無線通信システム１００を示す。携帯用電子機器１１０は、移動電話、携帯電話、携帯情報端末（ＰＤＡ）、スマートホン、又はポケットベルのような携帯用通信装置であってもよい。他の実施形態によれば、携帯用電子機器は、広範囲のワイヤレス通信のためのインタフェースを持たなくてもよい。例えば、音楽プレーヤ、電子ブック、カメラ、又は特定用途向けの目的のために電力を供給される機器、例えば識別機器であってもよい。
【００２７】
携帯用電子機器１１０は、ユーザがデータ及びコマンドを入力することができるキーパッド（Ｋｐｄ）１１５、及びユーザにデータを出力するための表示装置（Ｄｉｓｐｌ）１１６を含み得る。携帯用電子機器１１０は、例えばカメラ、広範囲のＲＦ通信、スピーカ、マイクロホン、別のローカルワイヤレス通信機能を提供する複数のアプリケーションユニット（Ａｐｐ）１１７をさらに含み得る。携帯用電子機器１１０の処理ユニット（μＰ）１１１が、キーパッド１１５、表示装置１１６、及びアプリケーションユニット１１７に接続され、携帯用電子機器１１０のサブユニットの制御を行う。
【００２８】
携帯用電子機器１１０は、近距離無線通信（ＮＦＣ）ユニット１１４を含み、ＮＦＣユニット１１４は、ＮＦＣユニット１１４がポーリング信号を送信する第１のモード（アクティブモード）と、ＮＦＣユニット１１４がポーリング信号を送信しない第２のモード（リッスンモード、アイドルモード）との間で切り換え可能である。本発明の一実施形態では、ＮＦＣユニット１１４は、アクティブモードではＲＦ場を発生させ、ポーリング信号を送信するが、アイドルモードではＲＦ場を発生させることも、ポーリング信号を送信することもしない。携帯用電子機器１１０内に一体化された動きセンサユニット（ＭｏｔＳｎｓ）１１２が、携帯用電子機器１１０の動きを記録し、記録された動きが記述された動き信号を出力する。
【００２９】
図１に示される実施形態によれば、動きセンサユニット１１２は、処理ユニット１１１に接続されるサブユニットである。別の実施形態によれば、動きセンサユニット１１２は、その他のサブユニットの１つに、例えばＮＦＣユニット１１４に一体化されてもよい。例えば、ＮＦＣ機能及び動きセンサユニット１１２は、同一のチップパッケージ又は同一のＩＣに一体化され得る。
【００３０】
動きセンサユニット１１２は、別のタイプの動きをそれぞれ記録する複数のセンササブユニットを含み得る。例えば、動きセンサユニット１１２は、少なくとも１つの方向、例えば３つの直交する方向に対する直線の動きを記録する。及び／又は、少なくとも１つの軸、例えば３つの直交する軸に対する回転の動きを記録する。各センササブユニットは、携帯用電子機器１１０の物理的加速度を測定することに適した加速度計ユニットを含み得る。各加速度計はＭＥＭＳ（Ｍｉｃｒｏｅｌｅｃｔｒｏｍｅｃｈａｎｉｃａｌ  Ｓｙｓｔｅｍ：微小電気機械システム）として実現され得る。
【００３１】
処理ユニット１１１は、動きセンサユニット１１２から出力される動き信号を受け取り、分析することができ、動き信号によって記述されて取り込まれた動きパターンを、第１の事前に規定された動きパターンと比較することができる。取り込まれた動きパターンの、第１の事前に規定された動きパターンからの偏差が、事前に規定された範囲内にあるとき、処理ユニット１１１は、取り込まれた動きパターンが第１の事前に規定された動きパターンを表すと判断し、ＮＦＣユニット１１４を第２のモードから第１のモードに切り換えるための制御信号を送信する。第１の事前に規定された動きパターンの時間−方向シグネチャは、携帯用機器１１０の加速を表す第１のフェーズ、及び携帯用機器１１０の減速を表す第２のフェーズを含む。本発明の一実施形態によれば、第１のフェーズは緩やかな加速を表し、第２のフェーズは大きな減速を表す。すなわち、加速率は減速率より小さい。ここで、シグネチャとしては、例えば、少なくとも移動している物体の運動に関する情報、すなわち、移動方向、速度、及び加速度と時間との関係を含む情報が関連付けられている。
【００３２】
近距離無線通信の典型的な適用分野として、例えば、連絡先データ、住所データ、テキストファイル、画像データ、オーディオコンテンツを、携帯用電子機器１１０と、別の携帯機器又は別の固定された機器との間で交換する、データ交換に関連する分野がある。他の適用分野として、キャッシュカード、アクセス管理システム、電子チケットシステム、オンラインカード支払システム、電子マネーシステム、及び識別システムに関連する分野がある。この場合、ユーザが識別情報又は支払情報を含む媒体、例えば携帯用電子機器１１０を、リーダ機器、リーダ／ライタ機器、又は電子現金自動支払機である、別の電子機器１９０のすぐ近くに持って行く。ユーザが自分自身を識別してもらいたい、又は支払機能を使いたいときには、携帯用電子機器１１０を、別の電子機器１９０に向かって自分の体から離す典型的ジェスチャ（「ＮＦＣタッチジェスチャ」）で動かす。その際、リーダ機器の近くでは、携帯用電子機器１１０の加速は、減速よりも緩やかなものである。従って、ＮＦＣタッチジェスチャは、高い確率で、徒歩のような他の多くの動作と区別されることができる。もしもＮＦＣタッチジェスチャが誤検出されたとしても、最大限達成可能な電力節約量には影響を及ぼすが、ユーザ体験には影響を及ぼさず、別の電子機器１９０が近くにない限りは、情報の伝達は行われない。
【００３３】
別の電子機器１９０は、デフォルトでリッスン状態であり、かつポーリング信号を受け取った後にだけ起動して能動的にデータを送信する能動トランスポンダを含み得る。また、本発明の他の実施形態によれば、ＮＦＣユニット１１４はＲＦ  ＩＤ（ｒａｄｉｏ  ｆｒｅｑｕｅｎｃｙ  ｉｄｅｎｔｉｆｉｃａｔｉｏｎ）タグのような、受動トランスポンダを含む電子機器と通信するように構成され得る。本発明の一実施形態によれば、ＮＦＣユニット１１４は、ＩＳＯ／ＩＥＣ１８０２９標準仕様、ＩＳＯ／ＩＥＣ１８０２９標準仕様に基づく任意の標準仕様、又は任意のＮＦＣ  Ｆｏｒｕｍ  Ｄｉｇｉｔａｌ  Ｐｒｏｔｏｃｏｌ  Ｓｐｅｃｉｆｉｃａｔｉｏｎに従って通信するように構成される。さらに、ＮＦＣユニット１１４は、ＩＳＯ／ＩＥＣ１４４４３標準仕様に従って通信することもできる。別の標準仕様でも同様に通信可能である。
【００３４】
携帯用電子機器１１０の動きを伴う各ジェスチャは、動きセンサユニット１１２により出力される動き信号で、ある種の時間−方向シグネチャを有する。ＮＦＣタッチジェスチャについては、シグネチャは、緩やかな加速フェーズ、及び通信リンクが構築される別の電子機器１９０の近くで、携帯用電子機器１１０を保持している手をユーザが止めるときの急激な減速フェーズに伴う、方向と動きに関する情報を含む。シグネチャはまた、ほぼ腕半分の長さとなり得る動きの始点と終点の間の距離に関する情報を含み得る。
【００３５】
第１の事前に規定された動きパターンは、及び／又は、検出された動きが第１の事前に規定された動きパターンに対応すると考えられる許容範囲は、様々な人々により行われる多種多様なジェスチャが第１の事前に規定された動きパターンと一致していると識別されるように、定義されることができる。本発明の他の実施形態によれば、第１の事前に規定された動きパターンは、ＮＦＣタッチジェスチャの誤検出の回数を低減するために、より厳密に定義され得る。また他の実施形態によれば、第１の事前に規定された動きパターンは、各ユーザの個々の動きを学習するフェーズ中に定義され得る。
【００３６】
図２Ａは、本発明の一実施形態として、ユーザが、携帯用電子機器１１０を手で保持したまま、軸２１２を中心に肘関節２０２を動かして腕を伸ばしながら、肘関節２０２による前腕の回転を補償する方向に、軸２１４を中心に肩関節２０４を動かして前腕を持ち上げる動きを示す。このとき、携帯用電子機器１１０は、ほぼ直線２５０に沿った動きをするため、ＮＦＣタッチジェスチャは、ほぼ直線２５０に沿った動きとして定められる。従って、第１の事前に規定された動きパターンは、第１のフェーズの緩やかな加速及び第２のフェーズの急激な減速を含む、ほぼ直線２５０に沿って携帯用電子機器を保持する手の動きとして事前に規定されることができる。さらに、このとき、高い確率で別の動きと識別することができるように、動きのシグネチャは、第２のフェーズが第１のフェーズよりも短くなるように設定する。さらに他の実施形態によれば、第１の事前に規定された動きパターンは、加速フェーズの前及び減速フェーズの後に、どんな動きもない停止フェーズを含んでもよい。
【００３７】
図２Ｂは、本発明の一実施形態として、第１の事前に規定された動きパターンが、ユーザが、携帯用電子機器１１０を手で保持したまま、肩間接２０４が固定された又はほとんど固定された状態で、軸２１２を中心に肘関節２０２を動かして腕を伸ばすＮＦＣタッチジェスチャに対応する場合を示す。この場合、携帯用電子機器１１０の動きの軌跡は、第１のフェーズの緩やかな加速及び第２のフェーズの突然の減速を伴いながら、曲線状の軌跡２５２に沿って曲げられる。このタイプのジェスチャは設定しやすく、携帯電子機器が取り得る多くの別の動きと高い確率で区別することができるため、電力の節約量を改善することができる。
【００３８】
また他の実施形態によれば、処理ユニット１１１は、第１の事前に規定された動きパターンの検出の前に、第２の事前に規定された動きパターンを検出して、ＮＦＣユニット１１４がアクティブモードに切り換えられる前又は後に、第２の事前に規定された動きパターンの検出に応答してＮＦＣユニット１１４の動作を制御するように構成される。
【００３９】
例えば、第２の事前に規定された動きパターンは、事前に規定されたデータ又は事前に規定されたアプリケーションを選択するための選択ジェスチャを記述することができる。選択ジェスチャは、振ること、注ぐこと（ｐｏｕｒｉｎｇ）、投げること、転がすこと、しゃべること（ｊａｗｉｎｇ）のような規定されたジェスチャ、例えば携帯用電子機器を手の中に入れた状態で、前腕を軸にして、肘間接で前腕を回転させることでもよい。ジェスチャと、アプリケーション又はアプリケーションデータとの間の割り当ては、事前に規定される、又はユーザによりプログラム可能であり得る。
【００４０】
また他の実施形態によれば、携帯用電子機器は少なくとも２つのアプリケーション、例えば、互いに異なる口座に関連付けられている第１及び第２の支払機能を実行し得る。ユーザは、電子現金自動支払機器に近づき、引き落とす口座を選択するために、まず選択ジェスチャを行う。次に、ユーザはＮＦＣタッチジェスチャを行う。通信リンクが構築された後、電子現金自動支払機器は、それ以上のユーザとのやり取りなしに、選択された口座から引き落とすために必要な情報を受け取る。別の口座に対しては、別の選択ジェスチャを事前に規定することができる。
【００４１】
ここで、ＮＦＣユニット１１４が少なくとも２つの異なるアプリケーションを実行するように構成されており、ＮＦＣユニット１１４が第１のモードに切り換えられる前に、処理ユニット１１１が第２の事前に規定された動きの検出に応答してＮＦＣユニット１１４により実行されるアプリケーションを選択するように構成される手法について詳しく説明する。
【００４２】
図１を再び参照すると、携帯用電子機器１１０は、例えば複数の支払サービスのような対応するアプリケーションとの通信リンクを構築するために使用される、複数の通信パラメータセット１２１、１２２、１２３を記憶するための第１の記憶要素１２０ａを含むセキュアエレメント（ｓｅｃｕｒｅ  ｅｌｅｍｅｎｔ：ＳｅｃＥｌ）１２０を含み得る。例えばセキュアエレメント１２０はＳＩＭ（ｓｕｂｓｃｒｉｂｅｒ  ｉｄｅｎｔｉｔｙ  ｍｏｄｕｌｅ）カードでもよい。また、ＮＦＣユニット１１４は、処理ユニット１１１に搭載可能なメモリよりも小さいサイズが許容される第２の記憶要素１１４ａを含み得る。ＮＦＣユニット１１４内の第２の記憶要素１１４ａは、アプリケーションの１つに割り当てられ、かつＮＦＣ通信リンクを構築するときに、初期化フェーズで使用されるパラメータセットを記憶することができる。別のＮＦＣ機器との新しい通信リンクを構築し始めるとき、ＮＦＣユニット１１４は、第２の記憶要素１１４ａに記憶されるパラメータセットを使用して、衝突防止シーケンス（ａｎｔｉｃｏｌｌｉｓｉｏｎ  ｓｅｑｕｅｎｃｅ）を実行し得る。その際、衝突防止パラメータセットが、通信リンクが構築される別の電子機器の衝突防止パラメータセットと一致しない場合、正しい衝突防止パラメータセットが、セキュアエレメント１２０からＮＦＣユニット１１４の中にダウンロードされなければならないため、新しい通信リンクの構築に遅延をもたらす。
【００４３】
ＮＦＣタッチジェスチャに先行する特定の選択ジェスチャを、衝突シーケンスに対する正しいパラメータセットを事前選択するために使用することができる。これを利用すれば、携帯用電子機器１１０が別の電子機器１９０の範囲内に存在する前に、正しいパラメータセットをＮＦＣユニット１１４に前もってダウンロードすることができる。
【００４４】
本発明の一実施形態によれば、ＮＦＣ機能が有効化される、すなわち、ＮＦＣユニット１１４が有効化されると、ＮＦＣユニット１１４は、携帯用電子機器１１０と別の電子機器１１９との間の通信が、プロトコルにより、又は事前に規定されたユーザ入力により終了させられるまで、第１のモードに留まり得る。また、他の実施形態によれば、ＮＦＣタッチジェスチャが誤検出されたときでも電力節約を行うために、ＮＦＣ機能が有効化された後に、例えば何秒間といった、事前に規定された有効化期間が経過しても通信リンクが構築されていない場合、処理ユニット１１１が、ＮＦＣユニット１１４を非有効化するように構成される。
【００４５】
図３は、ＮＦＣユニットを含む携帯用電子機器を動作させる方法を図示している。まず、携帯用電子機器に一体化された動きセンサユニットが、携帯用電子機器の動きを記録し、記録された動きが記述された動き信号を出力する。すなわち、ＮＦＣタッチジェスチャを検出する（３０２）。次に、処理ユニットが、動き信号の中から、第１のフェーズの加速及び第２のフェーズの減速を含む第１の事前に規定された動きパターンを検出するために、動き信号を分析する。処理ユニットは、第１の事前に規定された動きパターンを検出したときにＮＦＣユニットを第２のモードから第１のモードに切り換えるために、制御信号をＮＦＣユニットに送信する。すなわち、ＮＦＣユニットが起動され、有効化される（３０４）。そして、携帯用電子機器を、リッスン状態にある別の電子機器に近づけることで、ＮＦＣ通信リンクが構築される（３０６）。第１のモードは、ＮＦＣユニットが無線周波数場を発生させるポーリングモードである。第２のモードは、ＮＦＣユニットが無線周波数場を発生させないアイドルモードでもよい。一実施形態によれば、第１のフェーズは緩やかな加速でもよく、第２のフェーズは急激な減速でもよい。
【００４６】
図３に示す動作方法は、第２の事前に規定された動きパターンの検出に応答して、ＮＦＣユニットの動作を制御することをさらに含み得る。一実施形態によれば、ＮＦＣユニットは、第２の事前に規定された動きパターンにより識別されるデータを送信するように、又は第２の事前に規定された動きパターンにより識別されるアプリケーションに従って動作するように、動作させることができる。例えば、ＮＦＣ通信リンクを構築するためにＮＦＣユニットにより使用されるパラメータ及びデータが、第２の事前に規定された動きパターンによって事前に選択され得る。
【００４７】
また、ＮＦＣユニットを含む携帯用電子機器を動作させるこれらの手順は、プログラムとして各種の記録媒体に記録され得る。また、そのプログラムは、各種記録媒体からコンピュータによって読み取られ、実行され得る。
【００４８】
以上、説明してきたように、本願発明に係る携帯用電子機器によれば、従来の携帯用電子機器で生じ得た、表示装置の照明状態やキーパッドの状態によってユーザの意図に反してＮＦＣ機能が有効になってしまい、消費電力量が増加してしまうという問題を、解決することができる。
【００４９】
また、本願発明に係る携帯用電子機器によれば、同じく従来の携帯用電子機器で生じ得た、ＮＦＣ機能を有効にするためのユーザの操作が煩雑なため、素早くＮＦＣ機能を有効にすることができないという問題を、解決することができる。
【００５０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５１】
１００    近距離無線通信システム
１１０    携帯用電子機器
１１１    処理ユニット
１１２    動きセンサユニット
１１４    ＮＦＣユニット
１１４ａ    第２の記憶要素
１１５    キーパッド
１１６    表示装置
１１７    アプリケーションユニット
１９０    別の電子機器
１２０    セキュアエレメント
１２０ａ    第１の記憶要素
【図１】
2012165379.tif 000003
【図２Ａ】
2012165379.tif 000004
【図２Ｂ】
2012165379.tif 000005
【図３】
2012165379.tif 000006